(57)【特許請求の範囲】
【請求項１】
収納空間を有する収納家具において、収納家具本体の上面を開口させた上面開口部を有する収納空間と、収納家具本体に反転可能な状態で取り付けられ且つ上面開口部の一部を選択的に閉塞可能な単一の天板とを設け、前記収納空間が間仕切部により区画されたものであり、前記単一の天板によって区画された一方の収納空間を閉塞した場合に、他方の収納空間が上方に開放され、天板を反転させて他方の収納空間を閉塞した場合に、一方の収納空間が上方に開放されるようにし、
間仕切部の上面に蝶番を介して連結した天板の側面を机の天板の側面に当接する位置まで収納家具本体の一部を机の下方空間に挿入可能に構成し、前記蝶番の一片を天板の厚み巾中央部に埋め込むとともに、蝶番の他片を間仕切部の厚み巾中央部に埋め込み、蝶番の少なくとも何れか一方の片を天板又は間仕切部に対してスライド移動可能にし、当該スライド移動可能な一方の片を天板又は間仕切部に対して抜き出す方向に相対的にスライドさせた状態で天板を反転可能にしていることを特徴とする収納家具。
【請求項２】
収納空間が、収納家具本体の前面を開口させた前面開口部及び上面を開口させた上面開口部を有する収納空間であることを特徴とする請求項１記載の収納家具。
【請求項３】
天板の上面位置を、机の天板の上面位置と略面一となる位置に構成することを特徴とする請求項１又は２記載の収納家具。
【請求項４】
収納家具本体が、引出部を備えていることを特徴とする請求項１、２又は３記載の収納家具。
【請求項５】
収納家具本体に、左右一対の取手部を設けたことを特徴とする請求項１乃至４何れか１項記載の収納家具。
【請求項６】
収納空間内に、傾斜させた仕切部を設けたことを特徴とする請求項１乃至５何れか１項記載の収納家具。
【請求項７】
仕切部が着脱可能であることを特徴とする請求項６記載の収納家具。
【請求項８】
収納家具本体の上面を開口させた上面開口部を有する収納空間を間仕切部により区画すると共に、その区画された一方の収納空間と、他方の収納空間を天板を用いて選択的に閉塞可能であることを特徴とする請求項１乃至７何れか１項記載の収納家具。
【請求項９】
収納家具本体の下面に、キャスタを取り付けたことを特徴とする請求項１乃至８何れか１項記載の収納家具。
【発明の詳細な説明】
【０００１】
【発明の属する技術分野】
本発明は、書類等を収納する収納家具に関するものである。
【０００２】
【従来の技術】
従来、書類等を収納する収納家具であるワゴンは、筐体であるワゴン本体に引出を設け、その引出の中に収納空間を形成している。そして、書類等をその引出の中に入れて整理するものである。
【０００３】
【発明が解決しようとする課題】
しかし、使用者は、まだ処理を終えていない着手中の書類を引出の中に片づけてしまうと、書類が目に見える位置から無くなってしまうため、その仕事をそのまま忘れかねないという不安感に襲われる。一方、目に見える範囲に置いておくために、机の上などに置いておくとする。すると、卓上が煩雑になるばかりか、作業空間を著しく狭めてしまうという不具合が生じてしまう。
【０００４】
そこで、本発明は上記課題に着目してなされたものであり、作業中の仕事を一見して一覧できるようにした上で、きちんと整理できるワゴンを提供することを目的とする。
【０００５】
【課題を解決するための手段】
上述の問題を解決すべく、本発明は、収納空間を有する収納家具において、収納家具本体の上面を開口させた上面開口部を有する収納空間と、収納家具本体に反転可能な状態で取り付けられ且つ上面開口部の一部を選択的に閉塞可能な単一の天板とを設け、前記収納空間が間仕切部により区画されたものであり、前記単一の天板によって区画された一方の収納空間を閉塞した場合に、他方の収納空間が上方に開放され、天板を反転させて他方の収納空間を閉塞した場合に、一方の収納空間が上方に開放されるようにし、間仕切部の上面に蝶番を介して連結した天板の側面を机の天板の側面に当接する位置まで収納家具本体の一部を机の下方空間に挿入可能に構成し、前記蝶番の一片を天板の厚み巾中央部に埋め込むとともに、蝶番の他片を間仕切部の厚み巾中央部に埋め込み、蝶番の少なくとも何れか一方の片を天板又は間仕切部に対してスライド移動可能にし、当該スライド移動可能な一方の片を天板又は間仕切部に対して抜き出す方向に相対的にスライドさせた状態で天板を反転可能にしていることを特徴とする。
【０００６】
これにより、書類等を常に収納家具本体の上方から視認可能としておくことで、着手中の仕事を忘れてしまう恐れを無くすことができる。また、書類等をきちんと整理整頓できると共に、着手中の書類を素早く取り出すことができ、仕事の能率を向上させることができる。また、天板によって、必要に応じて上面開口部を閉塞して作業空間としたり、書類等を見えない様に片づけることもできる。
【０００７】
また、天板の移動を容易にするためには、天板が、反転可能な状態で収納家具本体に取り付けられているものであることが望ましい。
【０００８】
更に、収納空間が、収納家具本体の前面を開口させた前面開口部及び上面を開口させた上面開口部を有する収納空間であることにより、より書類を見えやすくすることができる。
【０００９】
加えて、収納家具本体の一部を、机の下方空間に収容可能とすることで、当該収納家具をデスクサイドカウンターとして利用することができる。
【００１０】
また、具体的な実施態様としては、天板の上面位置を、机の天板の上面位置と略面一となる位置に構成することが望ましい。さらに、好適な実施態様としては、間仕切部の上面に蝶番を介して連結した天板の側面を机の天板の側面に当接する位置まで収納家具本体の一部を机の下方空間に挿入可能に構成し、前記蝶番の一片を天板の厚み巾中央部に埋め込むとともに、蝶番の他片を間仕切部の厚み巾中央部に埋め込み、蝶番の少なくとも何れか一方の片を天板又は間仕切部に対してスライド移動可能にし、当該スライド移動可能な一方の片を天板又は間仕切部に対して抜き出す方向に相対的にスライドさせた状態で天板を反転可能にしている態様が挙げられる。
【００１１】
更に、収納家具本体に引出部を備えることにより、より使い勝手の良い収納家具を提供することができる。
【００１２】
加えて、収納家具本体に左右一対の取手部を設けて、左右両用使いとすることができる。
【００１３】
また、着手中の書類を上方から見やすく整理するために、収納空間内に、傾斜させた仕切部を設けることが考えられる。
【００１４】
更に、仕切部を着脱可能とすることで、より他用途に利用できる。
【００１５】
加えて、具体的な実施態様としては、収納家具本体の上面を開口させた上面開口部を有する収納空間を間仕切部により区画すると共に、その区画された一方の収納空間と、他方の収納空間を天板を用いて選択的に閉塞可能とすることが望ましい。
【００１６】
また、収納家具を容易に移動させられるように、収納家具本体の下面に、キャスタを取り付けることが考えられる。
【００１７】
【発明の実施の形態】
以下、本発明の一実施の形態を、図面を参照して説明する。
【００１８】
図１に示す収納家具であるワゴンＷは、オフィスなどにおいて書類などを整理するために使用されるもので、筐体であるワゴン本体１に、収納空間有する引出４１、４２を設けている。また、このワゴン本体１の下面にはキャスタ６を取り付けており、左右側板１１、１２に取り付けた取手５１、５２を引いて床面に対して移動できるものとしている。
【００１９】
ワゴン本体１は、図１に示すように、巾寸法ａ１がほぼ７００ｍｍ、奥行寸法ｂ１がほぼ３６０ｍｍ程度、高さ寸法ｃ１がほぼ７００ｍｍの外形を有したもので、図３に示すように、オフィス等で使用される机の下方空間に収納可能なものである。加えて、高さ寸法ｃ１が、椅子に着座した人の目線よりも下方に位置する程度に設定されている。
【００２０】
詳述すると、ワゴン本体１は左右対照形状をなしており、下面に取り付けたキャスタ６に支持された底板１４と、この底板１４の三方を包囲する位置に取り付けた左右の側板１１、１２及び背板１３と、巾方向略中央に位置させて底板１４上に起立させた巾方向の中間仕切１５と、これら左右側板１１、１２、背板１３及び中間仕切１５の上端に取り付けた上仕切板１７と、この上仕切板１７の下方に設けた下仕切板１６とを備えている。
【００２１】
また、前記左右側板１１、１２の上方位置には、奥行き方向に長手寸法を有する平面視コの字形状の取手５１、５２を左右一対に設けている。
【００２２】
引出４１、４２は、このワゴン本体１の下方に設けられるものであり、小物や文具などを収納する左右一対の上引出４１と、その下方位置に設けられる前記上引出４１より大なる下引出４２とからなる。
【００２３】
上引出４１は、左右側板１１、１２、背板１３、中間仕切１５及び上仕切板１７、下仕切板１６によって包囲される位置に前面を開口して形成された左右一対の収納空間に収納されるもので、図示しないスライドレールを介して取り付け、それらの上引出４１の鏡板に設けた把手４１ａを利用して出し入れ可能としている。
【００２４】
また、下引出４２は、底板１４、左右側板１１、１２、背板１３、中間仕切１５及び下仕切板１６によって包囲される位置に前面を開口して形成された左右一対の収納空間２Ｓ１に収納されるもので、図示しないスライドレールを介して取り付け、それらの下引出４２の鏡板に設けた把手４２ａを利用して出し入れ可能としている。
【００２５】
以上のようなワゴンＷにおいて、本実施の形態におけるワゴンＷは、前記引出４１、４２の上方にワゴン本体１の上面及び前面を開口する書類整理用の収納空間２を形成している。そして、この収納空間２の上面開口部２３を閉塞する天板３を設け、この天板３を用いて前記上面開口部２３の一部を選択的に閉塞できるように構成している。
【００２６】
詳述すると、図１乃至図６に示すように、前記収納空間２は、底板となる前記上仕切板１７と、左右側板１１、１２、背板１３の上半部によって包囲される空間であって、ワゴン本体１の上面を開口する上面開口部２３と、ワゴン本体１の前面を開口する前面開口部２４とを有している。そして、中央部に間仕切板２１を設けて、第一収納部２Ａ、第二収納部２Ｂを形成している。
【００２７】
第一収納部２Ａは、正面視右側に形成されるものであり、左右板１１、背板１３、間仕切板２１、上仕切板１７に包囲されるものである。
【００２８】
第二収納部２Ｂは、正面視左側に形成されているものであり、左側板１２、背板１３、間仕切板２１、上仕切板１７に包囲されるものである。そして、複数枚の仕切板２２を設けて書類等を整理できるようにしている。
【００２９】
この仕切板２２は、図５に示すように、側面視長方形の平板形状を成すものであり、底板である上仕切板１７に対して傾斜した状態に取り付けられるものである。また、図６に示すように、上仕切板１７に設けた溝１７ａに、仕切板２２の底面に設けたスライド片２２ａを挿脱することにより上仕切板１７に対して着脱可能なものである。
【００３０】
天板３は、ワゴン本体１の上部に反転可能に蝶着されているものであり、前記第一収納部２Ａ及び第二収納部２Ｂを選択的に閉塞可能な閉塞手段である。
【００３１】
詳述すると、天板３は、ワゴン本体１の奥行き寸法ｂ１と略同様の奥行き寸法ｂ１及び、ワゴン本体１の巾寸法ａ１の略半分の巾寸法を成す平板状の板材であり、前記第一収納部２Ａまたは第二収納部２Ｂの上面開口部２３を隙間無く閉塞する形状を成している。そして、その間仕切側側面及び間仕切板２１の上面を連結する蝶番３１を可動部とし、天板３の表裏面を反転可能としている。
【００３２】
この蝶番３１は、図７、図８に示すように、天板３の前後２カ所に設けられており、蝶番３１の一片３１ａを天板３の厚み巾中央部に埋め込むと同時に、他片３１ｂを間仕切板２１の厚み巾中央部に埋め込み、天板面３１に蝶番３１が突出しない状態に取り付けられるものである。更に、間仕切板２１の上面に設けた間仕切板開口部２１ａに、ガイド孔３１ｃを設けた蝶番片３１ｂを挿入し、蝶番片３１ｂに設けたガイド孔３１ｃに間仕切板開口部２１ａから突出させた突出部２１ｂをガイドさせて蝶番片３１ｂを上下方向に挿脱可能としている。そして、天板３を回転する場合には、図７に示すように、一旦蝶番片３１ｂを間仕切板開口部２１ａから上方へと抜き出し、天板３を間仕切板２１と干渉しない上方位置へと持ち上げる。その後、天板３を回転させて天板３の表裏面を反転させる。
【００３３】
また、図３に示すように、ワゴンＷを机Ｔの下方空間に収納する際には、上面開口部２３を閉塞していない第二収納部２Ｂを天板３の側面が机の天板３の側面に当接する位置まで挿入する。そして、机Ｔの天板の上面Ｔ１と、ワゴンＷの天板３の上面３２とを面一にして広い作業空間を確保している。
【００３４】
また、ワゴンＷの向きを変えたい場合には、取手５１、５２を持ってワゴンＷを机下方から引き出し、その後天板１を反転させて第一収納空間２Ａを閉塞する。そして、図４に示すように、使用者の右側であって、机の下方空間にワゴン本体１の一部を挿入する。
【００３５】
以上のように、収納空間を有するワゴンＷにおいて、ワゴン本体１の上面を開口させた上面開口部２３を有する収納空間２と、この上面開口部２３を閉塞する天板３とを設け、この天板３を用いて前記上面開口部２３の一部を選択的に閉塞できるようにしたことにより、書類等を常にワゴン本体１の上方から視認可能としておくことできると共に、着手中の仕事を忘れてしまう恐れを無くすことができる。また、書類等をきちんと整理整頓できる上に、着手中の書類を素早く取り出すことができ、仕事の能率を向上させることができる。更に、天板３によって、必要に応じて上面開口部２３を閉塞して作業空間としたり、書類等を見えない様に片づけることもできる。また、選択的に閉塞可能としているので、使用者に対して左右何れにもワゴンＷを配置可能とすることができる。
【００３６】
更に、ワゴンＷの高さ寸法ｃ１を、椅子に着座した状態で上方から収納空間２を見下ろせる高さ寸法としていることで、より収納物を見やすくできる。
【００３７】
また、天板３をワゴン本体１に対して反転可能な状態に蝶着していることにより、天板３を容易に移動させることができる。
【００３８】
更に、収納空間２が、ワゴン本体１の前面を開口させた前面開口部２４及び上面を開口させた上面開口部２３を有する収納空間２であることにより、より収納物を見えやすくすることができる。
【００３９】
加えて、ワゴン本体１の一部を、机の下方空間に収容可能とすることで、当該ワゴンＷをデスクサイドカウンター等として利用することができる。
【００４０】
また、天板３の上面位置を、机Ｔの天板の上面位置と略面一となる位置に構成することにより、作業台として使用し易くできる。
【００４１】
更に、ワゴン本体１に引出４１、４２を備えることにより、より使い勝手の良いワゴンＷを提供することができる。
【００４２】
加えて、ワゴン本体１に左右一対の取手５１、５２を設けることにより、使用者に対して左右何れに配置しても使用し易いワゴンを提供することができる。
【００４３】
また、収納空間２内に、傾斜させた仕切板２２を設けることで、着手中の書類等を上方から見やすく整理できる。
【００４４】
更に、仕切板２２を着脱可能とすることで、より他用途に利用できる。
【００４５】
加えて、ワゴン本体１の上面を開口させた上面開口部２３を有する収納空間２を間仕切板２１により区画すると共に、その区画された一方の収納空間２と、他方の収納空間２を天板３を用いて選択的に閉塞可能とすることにより、使用しやすい収納空間２を提供することができる。
【００４６】
また、ワゴン本体１の下面にキャスタ６を取り付けることにより、ワゴンＷの移動を容易とすることができる。
【００４７】
なお、本発明における構成は、以上説明したものに限定されないのは勿論である。例えば、天板３の間仕切板側側端面を半円形状とし、天板３と間仕切板２１が天板３の回転時に干渉しないように構成することも考えられる。その際には、図９に示すように、間仕切板２１の上面巾中央部に蝶番片１３１を固定すると共に、天板３の間仕切板側側端に回転軸１３２を取り付けて天板３を回転可能に構成しても良い。また、本実施形態においては、天板３を反転可能に蝶着しているが、上面開口部２３の一部を閉塞する天板３をワゴン本体１の上面に着脱可能に嵌め合わせる構造としても良い。更に、本実施の形態においては、第一収納空間２Ａに傾斜した仕切板２２を取り付けているが、第二収納空間２Ｂにのみ設けても良く、また、双方に設ける構成としても良い。加えて、この仕切り板２２を溝１７ａを有する各収納空間の寸法にあわせた底板に取り付けてユニット化し、第一収納空間２Ａ及び第二収納空間２Ｂに対して着脱可能に構成することも考えられる。その他の構成も本発明の趣旨を逸脱しない範囲で種々変形が可能である。
【００４８】
【発明の効果】
本発明は、以上説明したような構成で実施され以下に記載されるような効果を奏する。
【００４９】
すなわち、本発明は、収納空間を有するワゴンにおいて、ワゴン本体の上面を開口させた上面開口部を有する収納空間と、この上面開口部を閉塞する天板とを設け、この天板を用いて前記上面開口部の一部を選択的に閉塞できるようにしたことにより、書類等を常にワゴン本体の上方から視認可能としておくことでき、着手中の仕事を忘れてしまう恐れを無くすことができる。また、書類等をきちんと整理整頓できると共に、着手中の書類を素早く取り出すことができ、仕事の能率を向上させることができる。また、天板によって、必要に応じて上面開口部を閉塞して作業空間としたり、書類等を見えない様に片づけることもできる。また、選択的に閉塞可能としているので、使用者に対して左右何れにもワゴンを配置可能とすることができる。
【００５０】
また、天板をワゴン本体に対して反転可能な状態に蝶着していることにより、天板を容易に移動させることができる。
【００５１】
更に、収納空間が、ワゴン本体の前面を開口させた前面開口部及び上面を開口させた上面開口部を有する収納空間であることにより、より収納物を見えやすくすることができる。
【００５２】
加えて、ワゴン本体の一部を、机の下方空間に収容可能とすることで、当該ワゴンをデスクサイドカウンター等として利用することができる。
【００５３】
また、天板の上面位置を、机の天板の上面位置と略面一となる位置に構成することにより、作業台として使用し易くできる。
【００５４】
更に、収納家具本体に引出部を備えることにより、より使い勝手の良いワゴンを提供することができる。
【００５５】
加えて、収納家具本体に左右一対の取手部を設けることにより、使用者に対して左右何れに配置しても使用し易い収納家具を提供することができる。
【００５６】
また、収納空間内に、傾斜させた仕切板を設けることで、着手中の書類等を上方から見やすく整理できる。
【００５７】
更に、仕切板を着脱可能とすることで、より他用途に利用できる。
【００５８】
加えて、ワゴン本体の上面を開口させた上面開口部を有する収納空間を間仕切板により区画すると共に、その区画された一方の収納空間と、他方の収納空間を天板を用いて選択的に閉塞可能とすることにより、使用しやすい収納空間を提供することができる。
【００５９】
また、ワゴン本体の下面にキャスタを取り付けることにより、ワゴンの移動を容易とすることができる。
【図面の簡単な説明】
【図１】本発明の一実施形態を示すワゴンの斜視図。
【図２】同実施形態に係る天板を反転させた状態を示す斜視図。
【図３】同実施形態に係るワゴンを天板下方に位置させた状態を示す斜視図。
【図４】同実施形態に係るワゴンを天板下方に位置させた状態を示す斜視図。
【図５】同実施形態に係るワゴンを示す正面図。
【図６】同実施形態に係るワゴンを示す正面図。
【図７】同実施形態に係る蝶番を示す拡大正面図。
【図８】同実施形態に係る蝶番を示す拡大斜視図。
【図９】他の実施形態に係る蝶番を示す拡大斜視図。
【符号の説明】
１・・・ワゴン本体
２・・・収納空間
２Ａ・・・一方の収納空間（第一収納空間）
２Ｂ・・・他方の収納空間（第二収納空間）
３・・・天板
６・・・キャスタ
２１・・・間仕切部（間仕切板）
２２・・・仕切部（仕切板）
２３・・・上面開口部
２４・・・前面開口部
３２・・・上面
４１・・・引出（上引出）
４２・・・引出（下引出）
５１・・・取手（左取手）
５２・・・取手（右取手）
Ｔ・・・机
Ｔ１・・・上面
Ｗ・・・ワゴン
【図１】
0004289824.tif 000002
【図２】
0004289824.tif 000003
【図３】
0004289824.tif 000004
【図４】
0004289824.tif 000005
【図５】
0004289824.tif 000006
【図６】
0004289824.tif 000007
【図７】
0004289824.tif 000008
【図８】
0004289824.tif 000009
【図９】
0004289824.tif 000010